(57)【要約】      （修正有）【課題】除湿、冷却を目的とするシステムに大幅に機能部材を追加する事なく、最小の部材を追加する事で、暖房、加湿の機能を持たせる空調機を提供する。【解決手段】ユニットの処理側において、除湿ロータの上流又は、下流に温水コイルを配置する。冬季、乾季には外気が乾燥している為に、空調機としては、冬季、乾季には除湿をする必要は一般的にはない。従い、冬季、乾季には除湿ロータを運転させる必要はない。処理する空気は、除湿ロータを単純に通過するだけで、通過しても除湿はされない。除湿ロータ通過後の空気は、除湿ロータの下流に配置する温水コイルを通る。冬季、乾季には、この温水コイルに５０℃〜９０℃位の温水が流れているので、温水コイルを通過する空気は温水コイルにより加熱される。【選択図】図１
0003147097.tif 000002
【実用新案登録請求の範囲】
【請求項１】
乾式除湿ロータを使用し、除湿機能を有する除湿機と、間接式気化式冷却器を組み合せた除湿・冷却機能を有する空調機に、暖房・加湿機能を付加した事を特徴とする空調機の一体型ユニット。
【請求項２】
暖房、加湿機能を付加する為に、前記請求項１のユニットに使用されている間接式気化式冷却器の排気を、冬季、乾季には排気せず、給気に混合させる事を特徴とする請求項１の空調機の一体型ユニット。
【請求項３】
間接式気化式冷却器は、除湿ロータと一体のユニットに組み込まずに、別個のユニットとして分離して使用する事も可能である。その場合においても、暖房、加湿が必要な場合には、排気を給気に混合させる事により、給気を加湿する事を可能とする使用方法。
【考案の詳細な説明】
【技術分野】
【０００１】  本考案は、間接式気化式冷却器を利用し、暖房加湿機能を持たせる技術である。
【背景技術】
【０００２】  除湿ロータを用いて、空気の除湿を行い、除湿ロータ通過後除湿された露点の低くなった空気を間接式気化冷却器に送り込み、加湿する事なく空気の温度を下げるシステムについては、特許第３５５９２５５号にて特許化されている。但し、特許のシステムは主として、夏季における除湿及び冷却を目的としているものである。
【考案の開示】
【考案が解決しようとする課題】
【０００３】  特許のシステムは、除湿、冷却を目的とするものであるが、今般の考案は、冬季及び乾季においては、空調機として暖房及び加湿の機能も必要とされるので、特許のシステムに大幅に機能部材を追加する事なく、最小の部材を追加する事で、暖房、加湿の機能を持たせる事にある。
【課題を解決するための手段】
【０００４】  ユニットの処理側において、除湿ロータの上流又は、下流に温水コイルを配置する。冬季、乾季には外気が乾燥している為に、空調機としては、冬季、乾季には除湿をする必要は一般的にはない。従い、冬季、乾季には除湿ロータを運転させる必要はない。処理する空気は、除湿ロータを単純に通過するだけで、通過しても除湿はされない。除湿ロータ通過後の空気は、除湿ロータの下流に配置する温水コイルを通る。冬季、乾季には、この温水コイルに５０℃〜９０℃位の温水が流れているので、温水コイルを通過する空気は温水コイルにより加熱される。【０００５】  温水コイルにより加熱された空気は、次に間接式気化式冷却器に送り込まれる。この間接式気化式冷却器は本来、空気を冷却する事を目的としている。この間接式気化式冷却器は、特許第３５５９２５５号に記載されている様に、気化現象を起こさせる層と、空気を冷やす層に分割されており、除湿、冷却が必要な場合は、気化現象を生じせしめた層を通過する空気は、気化現象を起こさせた後の空気である為に、この空気は排気として捨てられる。暖房、加湿が必要な場合には、この排気されるべき空気を、排気せずに給気として利用する。本来、排気されるべき空気は、気化現象を生じせしめた後の空気である為に、湿度の高い空気であるので、この空気を加湿の目的として給気に利用する。【０００６】  利用する具体的な方法としては、間接式気化式冷却器の排気口に設置されるダンパーを閉じる。一方、排気口に至る途中に、別のダンパーを設ける。除湿、冷却が必要な排気口のダンパーは開放として、別のダンパーは閉めとする。一方、暖房、加湿が必要な場合には、排気口のダンパーを閉めとし、別のダンパーを開として、間接式気化式冷却器のもう一つの層を通過してくる空気と混合し、これをユニットからの給気として使用する。【０００７】  除湿、冷却の時には、間接式気化式冷却器に送り込まれる空気の量を１００とする場合には、排気として３０〜５０％捨てられるので、給気量は入口空気の５０〜７０％となるが、暖房、加湿の時は入口空気の量を１００とすると、この全量が給気量となる。
【考案の効果】
【０００８】  暖房、加湿機能を付加する事で、空調機として一年中を通して使用、利用できる事となる。尚かつ、暖房、加湿機能を付加するために、追加目的に必要とする部材は、処理側に温水コイルを追加するだけであり、コストアップ分が少なくてすむ。
【考案を実施するための最良の形態】
【０００９】  本考案の装置及び使用方法の実施の形態を、図面を参照して詳述する。図−１が一体型ユニットの構成図である。【００１０】  除湿、冷却機能だけの特許第３５５９２５５号のシステムにおいては、図−１のＨＣ−２の温水コイルが無い。本考案のシステムでは、ＨＣ−２の温水コイルを除湿ロータの下流に配置する。冬季、乾季には別途熱源により作られた温水は、ＨＣ−１の方には流さずに、ＨＣ−２の方へ流す。この温水コイルを通過して、空気は加熱（加温）される。【００１１】  加熱された空気は、図−１のＭＣ（間接式気化式冷却器）に送り込まれる。除湿、冷却時にはＭＣに導入された空気の内、３０〜５０％の気化現象を生じせしめた後の湿度の高い空気は、機外に排気口より排気される。暖房、加湿が必要な時は、この排気される空気を利用するのでこの空気は排気しない。図−１のＥＡ（排気口）にダンパーＶ、Ｄ１を設置し、このＶ、Ｄ１を閉とする。同時に、排気口の側面に別のダンパーＶ、Ｄ２を設置し、このＶ、Ｄ２を開とする。Ｖ、Ｄ２を開とすると、排気されるべき空気はＶ、Ｄ２より給気の方に流れる。ここで、ＭＣ（間接式気化式冷却器）の給気層より出てきた空気と混合され、混合された空気がＳＡ（給気口）より給気される。
【図面の簡単な説明】
【００１２】
【図１】ユニット基本構成図
【図２】基本構成図に基づく、運転モード別性能シミュレーション
【符号の説明】
【００１３】ＯＡ      外気
ＲＡ      室内からの還気
ＳＡ      給気
ＥＡ      排気
ＶＤ      ボリュームダンパー
ＨＣ−１  温水コイル（再生用）
ＨＣ−２  温水コイル（暖房用）
ＤＥＳＩ  除湿ロータ
ＭＣ      間接式気化式冷却器
Ｆ        フィルター
ＰＦ      処理側ファンモーター
ＥＦ      再生側ファンモーター
【図１】
0003147097.tif 000003
【図２】
0003147097.tif 000004
【手続補正書】
【提出日】平成20年9月9日(2008.9.9)
【手続補正１】
【補正対象書類名】実用新案登録請求の範囲
【補正対象項目名】全文
【補正方法】変更
【補正の内容】
【実用新案登録請求の範囲】
【請求項１】
フィルターを経由して処理側通路に外気を導入するファンモーター、除湿剤を有する乾式除湿ロータ、温水を循環する温水コイル及び間接式気化式冷却器を配置した処理側通路と、外気を導入するフィルター、この外気を加温する温水コイル、乾式除湿ロータ及び排気ファンモーターを配置した再生側通路とを備えた空調機において、冬季、前記処理側通路の前記間接式気化式冷却器から室内に供給する低温・低湿の空気と該間接式気化式冷却器から排気される高温・多湿の空気とを混合して所定の温度および湿度に調整した空気を室内暖房用として室内に供給することを特徴とする空調機の一体型ユニット。
【請求項２】
前記間接式気化式冷却器の排気部の排気口に、ダンパーＶ１を配置すると共に該排気部の側面にもう一つの排気口を設け、この排気口にダンパーＶ２を設置し、ダンパーＶ１とダンパーＶ２とは連動し、ダンパーＶ１が開成しているときにはダンパーＶ２は閉成し、ダンパーＶ１が閉成しているときにはダンパーＶ２は開成するように構成し、冬季、乾季にはダンパーＶ２を開成して暖房用の加温・加湿した空気を室内に供給することを特徴とする請求項１に記載の空調機の一体型ユニット。
【請求項３】
除湿機能を有する除湿機と間接式気化式冷却器とを組み合せた除湿・冷却機能を有する空調機に、暖房・加湿機能を付加しており、冬季には除湿ロータの除湿作用を停止し、低湿、低温の外気を間接式気化式冷却器に導入し、該間接式気化式冷却器から室内に供給する排気と該間接式気化式冷却器から排出する高温多湿の空気とを混合して暖房用空気として室内に供給するたことを特徴とする空調ユニット。
【手続補正２】
【補正対象書類名】明細書
【補正対象項目名】全文
【補正方法】変更
【補正の内容】
【考案の詳細な説明】
【技術分野】
【０００１】本考案は、夏季に外気を除湿冷却し、室内に供給する間接式気化式冷却器を備えた空調機において、冬季に暖房加湿機能を付与する空調機の一体化ユニットに関する。
【背景技術】
【０００２】  除湿ロータを用いて、空気の除湿を行い、除湿ロータ通過後  除湿された露点の低くなった空気を間接式気化式冷却器に送り込み、加湿することなく空気の温度を下げるシステムについては、特許第３５５９２５５号公報にて出願人は提案して特許化している。但し、この特許のシステムは主として、夏季における除湿及び冷却を目的としているものである。【０００３】
【特許文献１】特許第３５５９２５５号公報第１頁
【０００４】特許文献１は、除湿、冷却を目的とする一般的な夏季の空調機で、冬季には運転されることの無いものである。
【考案の開示】
【考案が解決しようとする課題】
【０００５】本考案は、従来のシステムにおいて、冬季及び乾季においては、空調機として暖房及び加湿の機能を有する空調機の一体型ユニットを提供するものである。本考案の課題は、特許のシステムに大幅に機能部材を追加する事なく、最小の部材を追加する事で、暖房、加湿の機能を持たせることにある。
【課題を解決するための手段】
【０００６】本考案の前記課題は、以下の構成によって達成できる。フィルターを経由して処理側通路に外気を導入するファンモーター、除湿剤を有する乾式除湿ロータ、温水を循環する温水コイル及び間接式気化式冷却器を配置した処理側通路と、外気を導入するフィルター、この外気を加温する温水コイル、乾式除湿ロータ及び排気ファンモーターを配置した再生側通路とを備えた空調機において、冬季、前記処理側通路の前記間接式気化式冷却器から室内に供給する低温・低湿の空気と該間接式気化式冷却器から排気される高温・多湿の空気とを混合して所定の温度および湿度に調整した空気を室内暖房用として室内に供給する空調機の一体型ユニットである。【０００７】本考案の前記課題は、前記間接式気化式冷却器から冷気を室内に供給する排気部の排気口にダンパーＶ１を配置すると共に該排気部の側面に排気する排気口を設け、この排気口にダンパーＶ２を設置し、ダンパーＶ１とダンパーＶ２とは連動し、ダンパーＶ１が開成しているときにはダンパーＶ２は閉成し、ダンパーＶ１が閉成しているときにはダンパーＶ２は開成するように構成し、冬季、乾季にはダンパーＶ２を開成して暖房用の加温・加湿した空気を室内に供給する空調機の一体型ユニットの構成において達成できる。【０００８】本考案の前記課題は、除湿機能を有する除湿機と間接式気化式冷却器とを組み合せた除湿・冷却機能を有する空調機に、暖房・加湿機能を付加しており、冬季には除湿ロータの除湿作用を停止し、低湿、低温の外気を間接式気化式冷却器に導入し、該間接式気化式冷却器から室内に供給する排気と該間接式気化式冷却器から排出する高温多湿の空気とを混合して暖房用空気として室内に供給する空調ユニットの構成によって達成できる。【０００９】本考案の間接式気化式冷却器は、コンプレッサーなどを使用することなく、水による気化現象によって冷気を得る特許第３５５９２５５号公報などに記載されるものである。該特許第３５５９２５５号公報のシステムにおいては、図１の処理側通路の温水コイルが無い。
【考案の効果】
【００１０】本考案の空調機の一体型ユニットは、従来の夏季に使用する除湿冷房用空調機に暖房、加湿機能を付加することで、空調機として一年中を通して使用、利用できることとなる。尚かつ、暖房、加湿機能を付加するために、追加目的に必要とする部材は、処理側通路に温水コイルを追加するだけであり、コストアップ分が少なくてすむ。
【考案を実施するための最良の形態】
【００１１】  本考案の空調機の一体型ユニットの実施の形態を、図面を参照して詳述する。図１は一体型ユニットの構成図である。図２は本考案の一体型ユニットの夏季の冷房時の冷房装置としての概略説明図、図３は本考案の一体型ユニットの冬季の暖房装置としての概略説明図である。【００１２】  本考案の一体型ユニットは、図１に示されるように外気を導入する処理側通路と再生側通路に跨って除湿ロータ１を配置してある。処理側通路に、外気を吸気するフィルターＦ１を備えた吸気口２、ファンモーター３、除湿ロータ１、熱交換器の温水コイル４、室内に冷気を排気する排気部６を有する間接式気化式冷却器５が配置され、この排気部６には室内への排気を開閉するダンパーＶ１を備える排気口７とこの側面に排気する開閉のダンパーＶ２を備える排気口８とを配置してあり、これらダンパーＶ１とＶ２は連動するようになっている。【００１３】  一方、再生通路側には、除湿ロータ１内の除湿剤を再生する外気を導入するフィルターＦ２を備えた通気口９、この空気を加熱する熱交換の温水コイル１０、除湿ロータ１を通過した再生空気を排気するファンモーター１１が配置してある。１２は間接式気化式冷却器５の給気口である。１３は再生空気の排気口である。【００１４】  温水コイルにより加熱された空気は、次に間接式気化式冷却器に送り込まれる。この間接式気化式冷却器は本来、空気を冷却する事を目的としている。この間接式気化式冷却器は、特許第３５５９２５５号に記載されている様に、気化現象を起こさせる層と、空気を冷やす層に分割されており、除湿、冷却が必要な場合は、気化現象を生じせしめた層を通過する空気は、気化現象を起こさせた後の空気である為に、この空気は排気として捨てられる。暖房、加湿が必要な場合には、この排気されるべき空気を、排気せずに給気として利用する。本来、排気されるべき空気は、気化現象を生じせしめた後の空気である為に、湿度の高い空気であるので、この空気を加湿の目的として給気に利用する。【００１５】  ユニットの処理側通路において、除湿ロータ１の下流に温水コイル４を配置する。冬季、乾季には外気が乾燥している為に、空調機としては、冬季、乾季には除湿をする必要は一般的にはない。従い、冬季、乾季には除湿ロータ１を運転させる必要はない。処理する空気は、除湿ロータ１を単純に通過するだけで、通過しても除湿はされない。除湿ロータ１通過後の空気は、除湿ロータ１の下流に配置する温水コイル４を通る。冬季、乾季には、この温水コイル４に５０℃〜９０℃位の温水が流れているので、温水コイル４を通過する空気は温水コイル４により加熱される。【００１６】  本考案の一体型ユニットでは、温水コイル４を除湿ロータ１の下流に配置する。冬季、乾季には別途熱源により作られた温水は、温水コイル１０の方には流さずに、温水コイル４の方へ流す。この温水コイル４を通過して、空気は加熱（加温）される。【００１７】  加熱された空気は、図１の間接式気化式冷却器５に送り込まれる。  この間接式気化式冷却器は本来、空気を冷却する事を目的としている。この間接式気化式冷却器は、特許第３５５９２５５号に記載されている様に、気化現象を起こさせる層と、空気を冷やす層に分��されており、除湿、冷却が必要な場合は、気化現象を生じせしめた層を通過する空気は、気化現象を起こさせた後の空気である為に、この空気は排気として捨てられる。暖房、加湿が必要な場合には、この排気されるべき空気を、排気せずに給気として利用する。本来、排気されるべき空気は、気化現象を生じせしめた後の空気である為に、湿度の高い空気であるので、この空気を加湿の目的として給気に利用する。【００１８】  この除湿、冷却時には間接式気化式冷却器５に導入された空気の内、３０〜５０％の気化現象を生じせしめた後の湿度の高い空気は、機外に排出口７より排気される。暖房、加湿が必要な時は、この排気される空気を利用するのでこの空気は大気中に排気しない。図１の排気口７にダンパーＶ１を設置し、このダンパーＶ１を閉とする。同時に、排気口８の側面に別のダンパーＶ２を設置し、このダンパーＶ２を開とする。ダンパーＶ２を開とすると、排気されるべき空気はダンパーＶ２より室内への給気の方に流れる。ここで、間接式気化式冷却器５の給気層より出てきた空気と混合され、混合された空気が排出口より室内に給気される。【００１９】  利用する具体的な方法としては、間接式気化式冷却器５の排気部６の排気口７に設置されるダンパーＶ２を閉じる。一方、排気口に至る途中に、別のダンパーＶ２を設ける。除湿、冷却が必要な排気口７のダンパーＶ１は開放として、別のダンパーＶ２は閉めとする。一方、暖房、加湿が必要な場合には、排気口７のダンパーＶ１を閉めとし、別のダンパーＶ２を開として、間接式気化式冷却器５のもう一つの層を通過してくる高温・多湿の空気と混合し、これをユニットからの給気として使用する。【００２０】  除湿、冷却の時には、間接式気化式冷却器５に送り込まれる空気の量を１００とする場合には、排気として３０〜５０％捨てられるので、給気量は入口空気の５０〜７０％となるが、暖房、加湿の時は入口空気の量を１００とすると、この全量が給気量となる。
【図面の簡単な説明】
【００２１】
【図１】本考案に係る空調機の一体型ユニットの構成図である。
【図２】本考案の一体型ユニットの夏季の冷房時の冷房装置としての概略説明図、
【図３】本考案の一体型ユニットの冬季の暖房装置としての概略説明図である。
【符号の説明】
【００２２】  １  除湿ロータ  ２  吸気口（Ｆ１フィルター）  ３  ファンモーター  ４  温水コイル  ５  間接式気化式冷却器  ６  排気部  ７  排気口  ８  排気口  ９  通気口（Ｆ２フィルター）１０  温水コイル１１  ファンモーター１２  給気口１３  排気口
【手続補正４】
【補正対象書類名】図面
【補正対象項目名】全図
【補正方法】変更
【補正の内容】
【図１】
0003147097.tif 000005
【図２】
0003147097.tif 000006
【図３】
0003147097.tif 000007